(57)【要約】【課題】使用済みのアプリケータを袋体の開口部から同袋体に収容する際に、片手操作で開口部が容易に開くようにする。【解決手段】シート状部材によって縦長形状に形成された袋体と、該袋体に個別に封入されたアプリケータと、前記アプリケータの内筒によって押し出し可能に前記アプリケータの外筒内に収容されたタンポンと、を有したアプリケータ付きタンポンの個別包装体である。前記袋体は、該袋体の本体として互いに対向する一対の面部を有するとともに、前記面部同士は、幅方向の各端部及び長手方向の一端部にて、折り線又は接合部を介して繋がっている。前記袋体の前記長手方向の他端部が前記アプリケータを取り出す際に開封されることによって、前記一対の面部の前記長手方向の他端側の縁部同士が互い共同して開口部を構成する。少なくとも前記開口部のうちで前記接合部以外の部分の一部に、補強部が設けられている。【選択図】図９
2014223148.tif 000002
【特許請求の範囲】
【請求項１】
シート状部材によって縦長形状に形成された袋体と、該袋体に個別に封入されたアプリケータと、前記アプリケータの内筒によって押し出し可能に前記アプリケータの外筒内に収容されたタンポンと、を有したアプリケータ付きタンポンの個別包装体であって、
前記袋体は、該袋体の本体として互いに対向する一対の面部を有するとともに、前記面部同士は、幅方向の各端部及び長手方向の一端部にて、折り線又は接合部を介して繋がっており、
前記袋体の前記長手方向の他端部が前記アプリケータを取り出す際に開封されることによって、前記一対の面部の前記長手方向の他端側の縁部同士が互い共同して開口部を構成し、
少なくとも前記開口部のうちで前記接合部以外の部分の一部に、補強部が設けられていることを特徴とするアプリケータ付きタンポンの個別包装体。
【請求項２】
請求項１に記載のアプリケータ付きタンポンの個別包装体であって、
前記補強部は、前記面部における前記幅方向の前記端部の前記接合部に連続して設けられていることを特徴とするアプリケータ付きタンポンの個別包装体。
【請求項３】
請求項１又は２に記載のアプリケータ付きタンポンの個別包装体であって、
前記補強部は、少なくとも前記開口部のうちで前記接合部以外の部分の全部に亘って設けられていること特徴とするアプリケータ付きタンポンの個別包装体。
【請求項４】
請求項１乃至３の何れかに記載のアプリケータ付きタンポンの個別包装体であって、
前記他端側の縁部に相当する位置を折り返し位置として前記シート状部材が折り返されることによって、前記面部における前記他端側の縁部が形成されているとともに、当該折り返された部分が前記シート状部材のうちで折り返されていない部分に重ね合わせられることによって、前記折り返された部分が前記補強部として機能することを特徴とするアプリケータ付きタンポンの個別包装体。
【請求項５】
請求項４に記載のアプリケータ付きタンポンの個別包装体であって、
前記折り返された部分と前記折り返されていない部分とは、互いに重ね合わせられた状態で溶着されていることを特徴とするアプリケータ付きタンポンの個別包装体。
【請求項６】
請求項４又は５に記載のアプリケータ付きタンポンの個別包装体であって、
前記他端側の縁部に相当する位置の山折り線を折り返し位置として、前記一対の前記面部の前記シート状部材がそれぞれ前記袋体の内側に折り返されているとともに、前記内側に折り返された部分同士が谷折り線を介して繋がっていることによって、前記袋体の前記他端部は封止されており、
前記アプリケータを取り出す際に開封される部分が、前記折り返された部分又は前記谷折り線に設定されていることを特徴とするアプリケータ付きタンポンの個別包装体。
【請求項７】
請求項６に記載のアプリケータ付きタンポンの個別包装体であって、
前記一対の面部のうちの一方の面部の前記折り返し位置と、もう一方の面部の前記折り返し位置とは、前記長手方向に関してずれていることを特徴とするアプリケータ付きタンポンの個別包装体。
【請求項８】
請求項４乃至７の何れかに記載のアプリケータ付きタンポンの個別包装体であって、
互いに重ね合わせられる前記折り返された部分と前記折り返されていない部分とのうちのどちらか一方だけに、前記長手方向に沿ったスリットが形成されていることを特徴とするアプリケータ付きタンポン用包装袋体。
【請求項９】
請求項１乃至８の何れかに記載のアプリケータ付きタンポンの個別包装体であって、
前記幅方向に互いに逆方向のスライド力を前記一対の前記面部に対してそれぞれ付与することにより、前記開口部は開き、
前記面部のうちで前記スライド力を付与すべき対象部分には、目印が設けられていることを特徴とするアプリケータ付きタンポンの個別包装体。
【発明の詳細な説明】
【技術分野】
【０００１】
本発明は、アプリケータ付きタンポンの個別包装体に関する。
【背景技術】
【０００２】
動物の身体の孔部の一例としての膣腔に挿入されて、体液の一例としての経血を吸収する吸収性物品として、タンポン２１が知られている。図１Ａの概略側面図に示すように、かかるタンポン２１は、未使用状態では通常アプリケータ２５という筒状の挿入補助具２５に収容されている。そして、使用時にアプリケータ２５を膣腔内に挿入し、アプリケータ２５の先端側部分２５ｅ１からタンポン２１を押し出すことによって同タンポン２１は膣腔内の所定位置に配置される。また、かかるアプリケータ付きタンポン２０は、使用時まで清潔に保管されていることが望ましいことから、通常、図１Ｂの概略側面図に示すように、縦長且つ扁平形状の袋体１３０に個別包装された個別包装体１１０の形態で市販されている。
【０００３】
かかる個別包装体１１０の一例が、特許文献１に開示されている。この例では、図１Ｂに示すように、アプリケータ付きタンポン２０を収容する袋体１３０は、当該袋体１３０の本体として互いに対向して配された略長方形の一対の面部１３１，１３１を有し、そして、当該一対の面部１３１，１３１同士は、幅方向の両端部及び長手方向の両端部にて折り線又は溶着部を介して繋がっており、これにより袋体１３０の外形をなす四辺で閉じた袋状とされている。また、一方の面部１３１には、開口部１３１ｈが形成されているが、当該開口部１３１ｈの全域を覆ってラベルシート１３２が開閉可能に接着されている。そのため、かかる袋体１３０からアプリケータ付きタンポン２０を取り出す際には、当該ラベルシート１３２を剥がして、これにより、開口部１３１ｈを露出状態たる開いた状態にし、しかる後に、当該開口部１３１ｈからアプリケータ付きタンポン２１を取り出す。そして、上記のようにしてアプリケータ２５を挿入補助具２５として用いながらタンポン２１を膣腔内の所定位置に配置した後には、使用済みのアプリケータ２５を、袋体１３０の開口部１３１ｈから再度差し込んで袋体１３０内に再収容し、これにより、アプリケータ２５に付いた体液が他のものに付着しない状態にしてから、ゴミ箱に捨てられる。
【先行技術文献】
【特許文献】
【０００４】
【特許文献１】米国特許出願公開第２０１１／０１８４３６７号明細書
【発明の概要】
【発明が解決しようとする課題】
【０００５】
しかしながら、この使用済みのアプリケータ２５を袋体１３０に再収容する際には、使用者の片手はアプリケータ２５を持つことで塞がっていることから、もう一方の手による片手操作で、ラベルシート１３２を開口部１３１ｈから剥がして開口部１３１ｈを露出状態たる開いた状態にしなければならないが、かかるラベルシート１３２を剥がして開口部１３１ｈを開く操作を片手で行うことは非常に困難である。
【０００６】
本発明は、上記のような従来の問題に鑑みてなされたものであって、その目的は、使用済みのアプリケータを袋体の開口部から同袋体に収容する際に、片手操作で開口部が容易に開くようにすることにある。
【課題を解決するための手段】
【０００７】
上記目的を達成するための主たる発明は、
シート状部材によって縦長形状に形成された袋体と、該袋体に個別に封入されたアプリケータと、前記アプリケータの内筒によって押し出し可能に前記アプリケータの外筒内に収容されたタンポンと、を有したアプリケータ付きタンポンの個別包装体であって、
前記袋体は、該袋体の本体として互いに対向する一対の面部を有するとともに、前記面部同士は、幅方向の各端部及び長手方向の一端部にて、折り線又は接合部を介して繋がっており、
前記袋体の前記長手方向の他端部が前記アプリケータを取り出す際に開封されることによって、前記一対の面部の前記長手方向の他端側の縁部同士が互い共同して開口部を構成し、
少なくとも前記開口部のうちで前記接合部以外の部分の一部に、補強部が設けられていることを特徴とするアプリケータ付きタンポンの個別包装体である。
【発明の効果】
【０００８】
本発明によれば、使用済みのアプリケータを袋体の開口部から同袋体に収容する際に、片手操作で開口部が容易に開くようになる。
【図面の簡単な説明】
【０００９】
【図１】図１Ａは、アプリケータ付きタンポン２０の概略側面図であり、図１Ｂは、従来のアプリケータ付きタンポン２０の個別包装体１１０の概略側面図である。
【図２】図２Ａは、アプリケータ付きタンポン２０の概略側面図であり、図２Ｂは、第１実施形態のアプリケータ付きタンポン２０の個別包装体１０の概略側面図である。
【図３】図３Ａは、個別包装体１０に係る袋体３０の概略側面図であり、図３Ｂ及び図３Ｃは、それぞれ、図３Ａ中のＢ−Ｂ矢視図及びＣ―Ｃ矢視図である。
【図４】図４Ａは、開封後の袋体３０の概略側面図であり、図４Ｂ及び図４Ｃは、それぞれ、図４Ａ中のＢ−Ｂ矢視図及びＣ―Ｃ矢視図である。
【図５】図５Ａは、第１実施形態の変形例の袋体３０の概略側面図であり、図５Ｂは、図５Ａ中のＢ−Ｂ矢視図である。
【図６】図６Ａ及び図６Ｂは、それぞれ、袋体３０の四辺の封止構造の変形例を示す概略側面図である。
【図７】スライド力を付与すべき対象部分に目印Ｓが設けられた袋体３０の概略側面図である。
【図８】第２実施形態のアプリケータ付きタンポン２０の個別包装体１０ｂの概略側面図である。
【図９】図９Ａは、個別包装体１０ｂに係る袋体３０ｂの概略側面図であり、図９Ｂ及び図９Ｃは、それぞれ、図９Ａ中のＢ−Ｂ矢視図及びＣ―Ｃ矢視図である。
【図１０】図１０Ａは、開封後の袋体３０ｂの概略側面図であり、図１０Ｂ及び図１０Ｃは、それぞれ、図１０Ａ中のＢ−Ｂ矢視図及びＣ―Ｃ矢視図である。
【図１１】図１１Ａは、第２実施形態の第１変形例の袋体３０ｂの説明図であって、開封後の袋体３０ｂの概略側面図であり、図１１Ｂ及び図１１Ｃは、それぞれ、図１１Ａ中のＢ−Ｂ矢視図及びＣ―Ｃ矢視図である。
【図１２】補強部３５の望ましい別の例を、図１１Ａ中のＣ−Ｃ矢視で示す図である。
【図１３】図１３Ａは、第２実施形態の第２変形例の袋体３０ｂの説明図であって、開封後の袋体３０ｂの概略側面図であり、図１３Ｂ及び図１３Ｃは、それぞれ、図１３Ａ中のＢ−Ｂ矢視図及びＣ―Ｃ矢視図である。
【図１４】図１４Ａ及び図１４Ｂは、それぞれ、袋体３０ｂの四辺の封止構造の変形例を示す概略側面図である。
【発明を実施するための形態】
【００１０】
本明細書及び添付図面の記載により、少なくとも以下の事項が明らかとなる。  
シート状部材によって縦長形状に形成された袋体と、該袋体に個別に封入されたアプリケータと、前記アプリケータの内筒によって押し出し可能に前記アプリケータの外筒内に収容されたタンポンと、を有したアプリケータ付きタンポンの個別包装体であって、
前記袋体は、該袋体の本体として互いに対向する一対の面部を有するとともに、前記面部同士は、幅方向の各端部及び長手方向の一端部にて、折り線又は接合部を介して繋がっており、
前記袋体の前記長手方向の他端部が前記アプリケータを取り出す際に開封されることによって、前記一対の面部の前記長手方向の他端側の縁部同士が互い共同して開口部を構成し、
少なくとも前記開口部のうちで前記接合部以外の部分の一部に、補強部が設けられていることを特徴とするアプリケータ付きタンポンの個別包装体である。
【００１１】
このようなアプリケータ付きタンポンの個別包装体によれば、少なくとも上記開口部の一部に補強部が設けられている。よって、一対の面部に対して幅方向に互いに逆向きのスライド力を付与した際に、開口部のうちで補強部が設けられた上記一部は、当該補強部で高められた曲げ剛性に基づいてスライド変形に対する抗力を生じ、この抗力の作用によって開口部は開くように動く。一方、当該互いに逆向きのスライド力の一対の面部への付与を、使用者は片手で行うことができる。例えば、親指と中指とで袋体の一対の面部を両側から挟んだ状態で、これら親指と中指とを互いに幅方向の逆側にずらすことにより、上記の互いに逆向きのスライド力を一対の面部に対して付与することができる。よって、使用者は、片手操作で上記開口部を容易に開くことができる。
【００１２】
かかるアプリケータ付きタンポンの個別包装体であって、
前記補強部は、前記面部における前記幅方向の前記端部の前記接合部に連続して設けられているのが望ましい。
【００１３】
このようなアプリケータ付きタンポンの個別包装体によれば、補強部は、面部の幅方向の端部の接合部に連続して設けられているが、当該接合部は高い曲げ剛性を有する。よって、当該接合部の高い曲げ剛性も、上記スライド力の付与の際に補強部に基づいて生じる上記の抗力に有効に加担する。よって、上記のスライド力の付与の際に、開口部はより開き易くなる。
【００１４】
かかるアプリケータ付きタンポンの個別包装体であって、
前記補強部は、少なくとも前記開口部のうちで前記接合部以外の部分の全部に亘って設けられているのが望ましい。
【００１５】
このようなアプリケータ付きタンポンの個別包装体によれば、補強部は、少なくとも開口部のうちで接合部以外の部分の全部に亘って設けられている。よって、上記スライド力の付与の際に補強部に基づいて生じる上記の抗力を大きくすることができて、結果、開口部はより開き易くなる。
【００１６】
かかるアプリケータ付きタンポンの個別包装体であって、
前記他端側の縁部に相当する位置を折り返し位置として前記シート状部材が折り返されることによって、前記面部における前記他端側の縁部が形成されているとともに、当該折り返された部分が前記シート状部材のうちで折り返されていない部分に重ね合わせられることによって、前記折り返された部分が前記補強部として機能するのが望ましい。
【００１７】
このようなアプリケータ付きタンポンの個別包装体によれば、シート状部材を折り返すという簡単な方法で、上記他端側の縁部がなす開口部に補強部を設けることができる。よって、別部材を設けずに済んで、製造コストを低くすることができる。
【００１８】
かかるアプリケータ付きタンポンの個別包装体であって、
前記折り返された部分と前記折り返されていない部分とは、互いに重ね合わせられた状態で溶着されているのが望ましい。
【００１９】
このようなアプリケータ付きタンポンの個別包装体によれば、折り返された部分と折り返されていない部分とは、互いに重ね合わせた状態で溶着されている。よって、当該溶着分だけ、開口部の曲げ剛性を更に高めることができて、その結果、上記スライド力の付与の際に、開口部はより開き易くなる。
【００２０】
かかるアプリケータ付きタンポンの個別包装体であって、
前記他端側の縁部に相当する位置の山折り線を折り返し位置として、前記一対の前記面部の前記シート状部材がそれぞれ前記袋体の内側に折り返されているとともに、前記内側に折り返された部分同士が谷折り線を介して繋がっていることによって、前記袋体の前記他端部は封止されており、
前記アプリケータを取り出す際に開封される部分が、前記折り返された部分又は前記谷折り線に設定されているのが望ましい。
【００２１】
このようなアプリケータ付きタンポンの個別包装体によれば、一対の面部のシート状部材のうちで袋体の内側に折り返された部分同士が谷折り線を介して繋がっていることにより、袋体の他端部は封止されている。よって、袋体は、アプリケータ付きタンポンを完全に封入しており、これにより、開封まで同タンポンを清潔な状態で保管することができる。
【００２２】
かかるアプリケータ付きタンポンの個別包装体であって、
前記一対の面部のうちの一方の面部の前記折り返し位置と、もう一方の面部の前記折り返し位置とは、前記長手方向に関してずれているのが望ましい。
【００２３】
このようなアプリケータ付きタンポンの個別包装体によれば、一方の面部の他端側の縁部の位置と、もう一方の面部の他端側の縁部の位置とは、長手方向に関してずれている。そして、これら縁部は、互いに共同して開口部を構成しているため、開口部は、長手方向にずれた一対の縁部を有した形態になっている。よって、当該開口部から袋体内に、使用済みのアプリケータを差し込み収容する際に、一対の縁部のうちで長手方向のより他端側に位置する方の縁部を、差し込み収容用のガイド部材として使用することができて、結果、袋体内に当該アプリケータを収容し易くなる。
【００２４】
かかるアプリケータ付きタンポンの個別包装体であって、
互いに重ね合わせられる前記折り返された部分と前記折り返されていない部分とのうちのどちらか一方だけに、前記長手方向に沿ったスリットが形成されているのが望ましい。
【００２５】
このようなアプリケータ付きタンポンの個別包装体によれば、上記の折り返し要因で開口部の曲げ剛性が著しく高くなってしまう場合に起こり得るスライド変形への抗力の著しい高まりを、スリットによって抑制できて、その結果、袋体に作用し得る過大な負荷の軽減を通して、袋体の損傷を抑えることができる。また、同スリットは、折り返された部分と折り返されていない部分とのうちのどちらか一方にだけ形成されるので、当該スリットを介して袋体の内部空間が外部と連通して袋体の封入が解かれる事態も有効に回避することができる。
【００２６】
かかるアプリケータ付きタンポンの個別包装体であって、
前記幅方向に互いに逆方向のスライド力を前記一対の前記面部に対してそれぞれ付与することにより、前記開口部は開き、
前記面部のうちで前記スライド力を付与すべき対象部分には、目印が設けられているのが望ましい。
【００２７】
このようなアプリケータ付きタンポンの個別包装体によれば、面部のうちで上記のスライド力を付与すべき対象部分には、目印が設けられている。よって、使用者は、面部においてスライド力を付与すべき対象部分を容易に把握することができて、その結果、当該使用者は片手操作で開口部を確実に開くことができる。
【００２８】
＝＝＝第１実施形態＝＝＝
図２Ａは、アプリケータ付きタンポン２０の概略側面図であり、図２Ｂは、第１実施形態のアプリケータ付きタンポン２０の個別包装体１０の概略側面図である。また、図３Ａは、個別包装体１０に係る袋体３０の概略側面図であり、図３Ｂ及び図３Ｃは、それぞれ、図３Ａ中のＢ−Ｂ矢視図及びＣ―Ｃ矢視図である。更に、図４Ａは、開封後の袋体３０の概略側面図であり、図４Ｂ及び図４Ｃは、それぞれ、図４Ａ中のＢ−Ｂ矢視図及びＣ―Ｃ矢視図である。
【００２９】
図２Ｂに示すように、この第１実施形態のアプリケータ付きタンポン２０の個別包装体１０は、柔軟なシート状部材３０ｓによって縦長形状且つ扁平形状に形成された袋体３０と、袋体３０に個別に封入されたアプリケータ付きタンポン２０と、を有する。
【００３０】
図２Ａに示すように、アプリケータ付きタンポン２０は、人体の孔部の一例たる膣腔に挿入されるタンポン２１と、タンポン２１を押し出し可能に収容するアプリケータ２５と、を有する。
【００３１】
タンポン２１は、膣腔に挿入されて経血を吸収する吸収体２１ａと、吸収体２１ａのうちの挿入方向の尾端側部分に連結された紐部材２１ｃと、を有する。吸収体２１ａは、例えばレーヨン繊維やコットン繊維等の親水性繊維を略円柱体形状に圧縮成形したものを本体とするが、場合によっては、当該本体の表面を、不織布等の液透過性シートで被覆していても良い。また、紐部材２１ｃは、膣腔から使用済みの吸収体２１ａを引き出す際に持ち手として使用される。
【００３２】
一方、アプリケータ２５は、吸収体２１ａを膣腔に挿入する際に用いる挿入補助具２５であり、図２Ａに示すように樹脂製の外筒２６と内筒２７とを有する。そして、外筒２６の挿入方向の先端側部分２６ｅ１には吸収体２１ａが収容され、外筒２６の尾端側部分２６ｅ２には、外筒２６と略同軸に、内筒２７の先端側部分２７ｅ１が収容されており、内筒２７の先端側部分２７ｅ１以外の部分２７ｅ２は外筒２６の尾端から外方に飛び出している。よって、タンポン２１の使用時には、膣腔に外筒２６の先端側部分２６ｅ１を挿入し、その状態のまま内筒２７を外筒２６内へ押し込むことにより、吸収体２１ａが外筒２６の先端側部分２６ｅ１から押し出されて膣腔に挿入される。そして、当該吸収体２１ａの挿入後にはアプリケータ２５は膣腔から抜かれる。
【００３３】
袋体３０は、熱可塑性樹脂フィルムや紙、或いは熱可塑性樹脂フィルムと紙とのラミネート紙等の柔軟なシート状部材３０ｓを材料に形成される。そして、この例では、熱可塑性樹脂フィルムの範疇のＰＰ（ポリプロピレン）フィルムが袋体３０の材料とされている。
【００３４】
袋体３０の外形形状は、図３Ａのアプリケータ付きタンポン２０の非収容状態においては、縦長形状の一例として略長方形をなしている。すなわち、袋体３０の外形形状は、互いに直交する三方向として長手方向と幅方向と厚さ方向とを有した縦長扁平形状であり、当然ながら、厚さ方向の長さ寸法よりも幅方向の長さ寸法の方が大きく、幅方向の長さ寸法よりも長手方向の長さ寸法の方が大きくされている。そして、図２Ｂに示すように、アプリケータ２５の外筒２６の筒軸方向Ｃ２６が、袋体３０の長手方向に沿わせられた状態で、袋体３０内にアプリケータ付きタンポン２０が収容されている。なお、以下では、袋体３０の長手方向のことを「袋体長手方向」と言い、袋体３０の幅方向のことを「袋体幅方向」と言い、袋体３０の厚さ方向のことを「袋体厚さ方向」と言う。
【００３５】
図３Ａ及び図３Ｂに示すように、かかる袋体３０は、その本体として互いに袋体厚さ方向に対向して配された略長方形の一対の面部３１，３１を有する。そして、図３Ａに示すように、当該一対の面部３１，３１同士は、互いの四辺において溶着部（接合部に相当）又は折り線ＬＭ，ＬＶ，ＬＭを介して繋がっており、これにより、袋状をなしている。例えば、この例では、一対の面部３１，３１同士は、袋体長手方向の上端部３１ｅｕ（他端部に相当）においてのみ折り線ＬＭ，ＬＶ，ＬＭで繋がっているが、袋体幅方向の各端部３１ｅｓ，３１ｅｓ及び長手方向の下端部３１ｅｄ（一端部に相当）においては溶着部で繋がっている。そして、これにより、袋体３０は四辺で綴じた状態になっている。ちなみに、この図３Ａだけでなく、以下で説明に用いる全図に亘って、溶着部には、ドット模様を付けて図示している。
【００３６】
図３Ｂに示すように、袋体３０の上端部３０ｅｕ（袋体の他端部に相当）は、シート状部材３０ｓが断面Ｍ字形状に折り曲げられることで形成されており、これにより、当該上端部３０ｅｕは、複数の折り線ＬＭ，ＬＶ，ＬＭを有している。すなわち、袋体厚さ方向に並ぶ一対の山折り線ＬＭ，ＬＭと、当該一対の山折り線ＬＭ，ＬＭ同士の間に位置する谷折り線ＬＶと、を有している。また、この例では、谷折り線ＬＶに対して、その略全長に亘って不図示のミシン目が形成されている。よって、このミシン目を使用者が指で押し込む等して破ることにより、図４Ｂ及び図４Ｃに示すように、袋体３０は速やかに開封される。
【００３７】
なお、図３Ａ及び図３Ｂに示すように、一対の山折り線ＬＭ，ＬＭは、それぞれ、各面部３１，３１の上端側の縁部３１ｅｅ１，３１ｅｅ１（他端側の縁部に相当）をなしているが、当該一対の山折り線ＬＭ，ＬＭ同士は、袋体幅方向の各端部３１ｅｓ，３１ｅｓにおいて上記の溶着部を介して接合されていて、これにより、一対の山折り線ＬＭ，ＬＭは、互いに共同して環状になっている。そのため、上記ミシン目での袋体３０の開封後には、図４Ｃのように環状に繋がる一対の山折り線ＬＭ，ＬＭは、図４Ｂに示すように袋体３０の内部空間ＳＰ３０と連通し、これにより、当該一対の山折り線ＬＭ，ＬＭは、袋体３０の環状の開口部３０ｈとして機能する。
【００３８】
ところで、開封後に袋体３０の上記開口部３０ｈからアプリケータ付きタンポン２０を取り出すと、当該袋体３０は、袋体厚さ方向に自然に潰れて元の薄厚の扁平形状に戻ってしまい、これに伴って、開口部３０ｈも閉じて扁平状態になる。そのため、使用済みのアプリケータ２５を袋体３０に再度収容する際には、当該開口部３０ｈを袋体厚さ方向に大きく開かねばならないが、通常このときには、使用者の片手は使用済みアプリケータ２５を持つことで塞がってしまっている。よって、この開口部３０ｈを開く操作にあっては、もう一方の手だけによる片手操作で行わざるを得ない。そこで、この第１実施形態では、片手操作で袋体３０の開口部３０ｈを速やかに開くことができるように工夫されている。以下、この工夫について説明する。
【００３９】
ここで、図４Ｂ及び図４Ｃを参照して端的に言えば、この工夫とは、袋体３０の開口部３０ｈが上記の各山折り線ＬＭ，ＬＭに起因して二層構造に構成されていることである。すなわち、上述したことや図４Ｂからわかるように、各面部３１，３１のうちで袋体長手方向の上端側の縁部３１ｅｅ１，３１ｅｅ１及びその近傍部分を除く概ね全ての部分については、シート状部材３０ｓが一枚の単層構造となっているが、これに対して、各面部３１，３１の上端側の縁部３１ｅｅ１，３１ｅｅ１及びその近傍部分では、シート状部材３０ｓが山折り線ＬＭ，ＬＭで折り返されているために、各面部３１，３１の上端側の縁部３１ｅｅ１，３１ｅｅ１は、シート状部材３０ｓが二枚重なった二層構造をなしている。より詳しく言えば、山折り線ＬＭに基づいて袋体３０の内側に折り返された部分３１ｂｄが、折り返されていない部分３１ｎｂｄたる面部３１の上端部３１ｅｕに重なっている。このため、当該折り返された部分３１ｂｄは、当該面部３１の上端部３１ｅｕを補強する補強部３１ｂｄとして機能して、これにより、各面部３１，３１の上端側の縁部３１ｅｅ１，３１ｅｅ１たる開口部３０ｈにあっては、面部３１のうちで開口部３０ｈ及びその近傍部分以外のほぼ全ての部分よりも曲げ剛性が高くされている。
【００４０】
よって、使用者が、例えば親指と中指とで袋体３０の一対の面部３１，３１を袋体厚さ方向の両側から挟んだ状態で、これら親指と中指とを互いに袋体幅方向の逆側にずらすことによって、袋体幅方向に互いに逆向きのスライド力を一対の面部３１，３１に対して付与してやれば、一対の面部３１，３１のうちの大半の部分は速やかにスライドするように変形するが、二層構造に基づいて補強された上記開口部３０ｈにあっては、その高められた曲げ剛性に基づいて速やかにはスライドせずに、すなわちスライド変形に対する抗力を生じる。そして、この抗力の作用によって開口部３０ｈは袋体厚さ方向に開くように動作して、これにより、使用者は、片手操作で開口部３０ｈを速やかに開くことができる。
【００４１】
なお、望ましくは、図３Ａに示すように、二層構造に構成された部分の袋体長手方向の長さ寸法Ｄｄ、すなわち、上端側の縁部３１ｅｅ１たる山折り線ＬＭから谷折り線ＬＶまでの部分（つまり、折り返された部分３１ｂｄ）の袋体長手方向の長さ寸法Ｄｄを１０〜５０ｍｍに設定すると良く、より望ましくは、２５〜３０ｍｍに設定すると良い。そして、このように設定されていれば、折り返された部分３１ｂｄは、補強部３１ｂｄとして有効に機能することができる。
【００４２】
また、場合によっては、開口部３０ｈをなす一対の山折り線ＬＭ，ＬＭのうちの少なくとも一方又は両方に対して、ヒートシールを施しても良い。すなわち、図３Ｂに示すように、山折り線ＬＭで折り返された部分３１ｂｄと折り返されていない部分３１ｎｂｄとを重ね合わせた状態で熱溶着しても良い。そして、このようにすれば、当該溶着分だけ、開口部３０ｈの曲げ剛性を更に高めることができて、その結果、上記のスライド力の付与の際に、開口部３０ｈはより開き易くなる。  
なお、上記の熱溶着により形成される溶着部は、山折り線ＬＭの袋体幅方向の全長に亘って形成されていても良いし、場合によっては、袋体幅方向に部分的に形成されても良い。また、溶着部の袋体長手方向の長さは、例えば３〜３０ｍｍであり、望ましくは３〜１０ｍｍである。更に、溶着部は、適宜な形成パターンで形成されていても良い。例えば、複数のドット部分を有したドットパターンや、複数の直線部分を有したストライプパーターンで形成されても良いし、或いは、ベタ状のパターンで形成されても良い。  
更に、上述の例では、袋体３０の上端部３０ｅｕを開封可能に封止する構成として、各山折り線ＬＭ，ＬＭにより袋体３０の内側に折り返された部分３１ｂｄ，３１ｂｄ同士が、ミシン目付きの谷折り線ＬＶを介して繋がっている構成を例示したが、何等これに限らない。例えば、袋体３０の内側に折り返された部分３１ｂｄ，３１ｂｄ同士が、ミシン目付きの谷折り線ＬＶに代えて、容易に剥離可能な低い接合強度の接着剤の接着によって繋がった構成であっても良い。そして、この構成の場合には、当該接着剤の接着で繋がった部分同士を使用者が指などで押し込むことにより、同接着で繋がった部分同士が速やかに分離して、これにより、袋体３０が開封されることになる。
【００４３】
また、場合によっては、図３Ａ及び図４Ａに示すように、山折り線ＬＭを介して互いに重ね合わせられる折り返された部分３１ｂｄと折り返されていない部分３１ｎｂｄとのうちのどちらか一方にだけ、袋体長手方向に沿ったスリットＳＬを形成し、これにより、開口部３０ｈに対して局所的に曲げ剛性の低い部分を設けても良い。この図３Ａ及び図４Ａの例では、折り返された部分３１ｂｄのうちの袋体幅方向の中央部分にスリットＳＬが形成されている。
【００４４】
そして、このようにスリットＳＬが形成されていれば、上記の山折り線ＬＭ起因で開口部３０ｈの曲げ剛性が著しく高くなってしまう場合に起こり得るスライド変形への抗力の著しい高まりを抑制できて、その結果、袋体３０に作用し得る過大な負荷の軽減を通して、袋体３０の損傷を抑えることができる。また、同スリットＳＬは、折り返された部分３１ｂｄと折り返されていない部分３１ｎｂｄとのうちのどちらか一方にだけ形成されるので、当該スリットＳＬを介して袋体３０の内部空間ＳＰ３０が外部と連通して袋体３０の封入が解かれる事態も有効に回避することができる。
【００４５】
なお、望ましくは、かかるスリットＳＬの形成は、折り返されていない部分３１ｎｂｄよりは、図４Ａのように折り返された部分３１ｎｂｄの方に対してなすと良く、このようにすれば、スライド変形の際に袋体３０に作用し得る過大な負荷をより有効に軽減可能となる。また、スリットＳＬの袋体長手方向の長さは、折り返された部分３１ｂｄの袋体長手方向の全長を超えない範囲であって、５〜２０ｍｍの範囲から選択される良く、そうすれば、上記の過大な負荷の軽減効果を確実に奏することができる。
【００４６】
ちなみに、望ましくは、アプリケータ付きタンポン２０を非収容状態における袋体３０の袋体長手方向の内法を、アプリケータ付きタンポン２０の袋体長手方向の全長よりも１０〜４０ｍｍだけ長くすると良く、また、同袋体３０の袋体幅方向の内法を、アプリケータ付きタンポン２０の袋体幅方向の最大寸法よりも１０〜８０ｍｍだけ長くすると良い。そして、このようにすれば、アプリケータ付きタンポン２０を収容した際に、袋体３０内に適度な余裕代を確保することができる。
【００４７】
また、望ましくは、袋体幅方向の各端部３１ｅｓ，３１ｅｓに形成される溶着部の袋体幅方向の長さを、例えば３〜５ｍｍにするとともに、袋体長手方向の下端部３１ｅｄに形成される溶着部の袋体長手方向の長さを、例えば５〜３０ｍｍにすると良い。
【００４８】
図５Ａ及び図５Ｂは、第１実施形態の変形例の説明図である。図５Ａは、当該変形例の袋体３０の概略側面図であり、図５Ｂは、図５Ａ中のＢ−Ｂ矢視図ある。  
上述の第１実施形態では、図３Ｂに示すように、上端部３０ｅｕに設定される一対の山折り線ＬＭ，ＬＭの位置、すなわち折り返し位置ＬＭ，ＬＭが互いに袋体長手方向に関して揃っていたが、図５Ｂの変形例では、一対の山折り線ＬＭ，ＬＭの位置が、袋体長手方向に関してずらされている点で主に相違する。そして、これ以外の点はほぼ第１実施形態と同じである。よって、以下の説明では、第１実施形態と同じ構成については同じ符号を付して、その説明については省略する。
【００４９】
ここで、各山折り線ＬＭ，ＬＭは、既述のように、各面部３１，３１の上端側の縁部３１ｅｅ１，３１ｅｅ１に相当している。よって、この変形例では、一方の面部３１の上端側の縁部３１ｅｅ１の位置と、もう一方の面部３１の上端側の縁部３１ｅｅ１の位置とが、互いに袋体長手方向に関してずれていることになる。また、これも既述していることであるが、これら一対の縁部３１ｅｅ１，３１ｅｅ１は、互いに共同して袋体３０の開口部３０ｈをなしている。そのため、この変形例の袋体３０の開口部３０ｈでは、その一対の縁部３１ｅｅ１，３１ｅｅ１の互いの位置が袋体長手方向にずれた形態になっている。よって、当該開口部３０ｈから袋体３０内に、使用済みのアプリケータ２５を差し込み収容する際に、開口部３０ｈの上記一対の縁部３１ｅｅ１，３１ｅｅ１のうちで袋体長手方向のより上端側に位置する方の縁部３１ｅｅ１を、差し込み収容用のガイド部材として使用することができて、結果、袋体３０内に当該アプリケータ２５を収容し易くなる。
【００５０】
なお、ここで望ましくは、上記の一対の縁部３１ｅｅ１，３１ｅｅ１、すなわち一対の山折り線ＬＭ，ＬＭのうちで上側に位置する山折り線ＬＭと谷折り線ＬＶとの間の袋体長手方向の間隔ＤＶ１を２８〜３５ｍｍに設定するとともに、もう一方の山折り線ＬＭ（下側に位置する山折り線ＬＭ）と谷折り線ＬＶとの間の間隔ＤＶ２を１５〜２２ｍｍに設定すると良い。そして、このようにすれば、上側に位置する方の山折り線ＬＭたる上端側の縁部３１ｅｅ１を、上記の差し込み収容用のガイド部材として確実に機能させることができる。
【００５１】
また、上述の第１実施形態及びその変形例では、図３Ａ及び図５Ａに示すように、袋体３０の一対の面部３１，３１同士を、袋体長手方向の上端部３１ｅｕでは折り線ＬＭ，ＬＶ，ＬＭで繋ぐ一方、これ以外の各端部３１ｅｄ，３１ｅｓ，３１ｅｓ、すなわち袋体長手方向の下端部３１ｅｄ及び袋体幅方向の各端部３１ｅｓ，３１ｅｓでは溶着部で繋いでいたが、何等これに限らない。例えば、図６Ａに示すように、袋体幅方向の各端部３１ｅｓ，３１ｅｓのうちの一方の端部３１ｅｓでは折り線で一対の面部３１，３１同士を繋ぎ、そして、もう一方の端部３１ｅｓ及び袋体長手方向の下端部３１ｅｄでは溶着部で一対の面部３１，３１同士を繋いでも良い。或いは、図６Ｂに示すように、袋体幅方向の各端部３１ｅｓ，３１ｅｓでは溶着部で一対の面部３１，３１同士を繋ぎ、そして、袋体長手方向の下端部３１ｅｄでは折り線で一対の面部３１，３１同士を繋いでも良い。
【００５２】
また、場合によっては、袋体３０の一対の面部３１，３１のうちで、袋体３０の開口部３０ｈを開くためにスライド力を付与すべき対象部分には、スライド力を付与すべき旨の目印Ｓが設けられていても良い。図７の例では、目印Ｓの一例として、丸印と、付与すべきスライド力の方向の矢印との両者が描かれている。そして、このように目印Ｓが描かれていれば、使用者は、開口部３０ｈを片手操作で開く方法や、面部３１においてスライド力を付与すべき対象部分を容易に視認することができて、その結果、当該使用者は片手操作で開口部３０ｈを確実且つ容易に開くことができる。なお、かかる目印Ｓは、何等上記のような丸印や矢印に限るものではなく、例えば動物の肉球や星形、ハート形等の図柄でも良い。
【００５３】
＝＝＝第２実施形態＝＝＝
図８は、第２実施形態のアプリケータ付きタンポン２０の個別包装体１０ｂの概略側面図である。また、図９Ａは、個別包装体１０ｂに係る袋体３０ｂの概略側面図であり、図９Ｂ及び図９Ｃは、それぞれ、図９Ａ中のＢ−Ｂ矢視図及びＣ―Ｃ矢視図である。更に、図１０Ａは、開封後の袋体３０ｂの概略側面図であり、図１０Ｂ及び図１０Ｃは、それぞれ、図１０Ａ中のＢ−Ｂ矢視図及びＣ―Ｃ矢視図である。
【００５４】
図８に示すように、この第２実施形態のアプリケータ付きタンポン２０の個別包装体１０ｂも、柔軟なシート状部材３０ｂｓによって縦長形状且つ扁平形状に形成された袋体３０ｂと、袋体３０ｂに個別に封入されたアプリケータ付きタンポン２０と、を有する。そして、アプリケータ付きタンポン２０の構成は、第１実施形態と同じであるが、袋体３０ｂの構成が異なる。よって、以下では、袋体３０ｂについて主に説明し、アプリケータ付きタンポン２０の説明については省略する。
【００５５】
袋体３０ｂは、熱可塑性樹脂フィルムや紙、或いは熱可塑性樹脂フィルムと紙とのラミネート紙等の柔軟なシート状部材３０ｂｓを材料に形成される。そして、この例では、熱可塑性樹脂フィルムの範疇のＰＰフィルムが袋体３０ｂの材料とされている。
【００５６】
袋体３０ｂの外形形状は、図９Ａのアプリケータ付きタンポン２０の非収容状態においては、縦長形状の一例として平面視略長方形をなしている。すなわち、袋体３０ｂは、その本体として、互いに袋体厚さ方向に対向して配された略長方形の一対の面部３１，３１を有し、当該一対の面部３１，３１同士は、四辺において溶着部（接合部に相当）又は折り線を介して繋がっており、これにより、袋状をなしている。例えば、この例では、一対の面部３１，３１同士は、互いの四辺、すなわち袋体幅方向の各端部３１ｅｓ，３１ｅｓ、袋体長手方向の上端部３１ｅｕ、及び同下端部３１ｅｄにて熱溶着されて接合されており、つまり、四つの各端部３１ｅｓ，３１ｅｓ，３１ｅｕ，３１ｅｄに設けられた溶着部を介して一対の面部３１，３１同士は繋がっている。
【００５７】
また、一対の面部３１，３１のどちらの面部３１についても、当該面部３１のうちで上端部３１ｅｕの溶着部よりも下方の部分には、袋体幅方向に沿ったミシン目Ｐ３１が袋体幅方向の全長に亘って形成されている。そして、このミシン目Ｐ３１を切断することにより、袋体３０ｂのうちでミシン目Ｐ３１よりも上側の部分３０ｂｕを、同ミシン目Ｐ３１よりも下側の部分３０ｂｄから切り離して、これにより袋体３０ｂを開封するようになっている。なお、以下では、この袋体３０ｂのうちでミシン目Ｐ３１よりも下側の部分３０ｂｄのことを、「袋体下側部分３０ｂｄ」とも言う。そして、かかる袋体下側部分３０ｂｄに、アプリケータ付きタンポン２０が収容されている。また、図９Ａのように開封前にミシン目Ｐ３１であった部分は、当該ミシン目Ｐ３１での切断・開封後には、図１０Ａ乃至図１０Ｃのように袋体下側部分３０ｂｄの各面部３１，３１の上端側の縁部３１ｅｅ３，３１ｅｅ３になり、そして、開封後には、当該上端側の縁部３１ｅｅ３，３１ｅｅ３が、袋体３０ｂの開口部３０ｂｈとして機能する。よって、使用者は、同開口部３０ｂｈたる上端側の縁部３１ｅｅ３，３１ｅｅ３から袋体下側部分３０ｂｄ内のアプリケータ付きタンポン２０を取り出して使用する。
【００５８】
なお、図１０Ａ乃至図１０Ｃに示す当該開封後の袋体３０ｂたる袋体下側部分３０ｂｄも、アプリケータ付きタンポン２０の取り出し後には、前述の第１実施形態の場合と同様に、袋体厚さ方向に自然に潰れて元の薄厚な扁平形状に戻ってしまい、これに伴って、開口部３０ｂｈも閉じて略扁平状態になってしまう。そのため、この第２実施形態の袋体３０ｂに対しても、開口部３０ｂｈを開き易くする目的で、当該開口部３０ｂｈには、補強部３５が設けられている。
【００５９】
この例では、補強部３５は、熱可塑性樹脂製等のフィルムや同樹脂製等の不織布、又は紙等の適宜なシート状部材３５であり、開口部３０ｂｈの一部にのみ接着又は溶着等の適宜な接合方法によって一体に接合されている。そして、当該補強部３５が接合された部分の曲げ剛性は高くなっている。よって、第１実施形態の場合と同様に、使用者が、例えば親指と中指とで袋体下側部分３０ｂｄの一対の面部３１，３１を袋体厚さ方向の両側から挟んだ状態で、これら親指と中指とを互いに袋体幅方向の逆側にずらすことにより、袋体幅方向に互いに逆向きのスライド力を一対の面部３１，３１に対して付与してやれば、一対の面部３１，３１のうちの大半の部分は速やかにスライドするように変形するが、補強部３５で補強された上記開口部３０ｂｈの一部にあっては、その高められた曲げ剛性に基づいて速やかにはスライドせずに、すなわちスライド変形に対する抗力を生じる。そして、この抗力の作用によって開口部３０ｂｈの一部及びその近傍部分は袋体厚さ方向に開くように動作し、これにより、使用者は、片手操作で開口部３０ｂｈを速やかに開くことができる。
【００６０】
ちなみに、この図１０Ａ乃至図１０Ｃの例では、開口部３０ｂｈの一部にのみ補強部３５を設けていたが、何等これに限らない。例えば、開口部３０ｂｈにおける複数の部分に袋体幅方向に並ぶように複数の補強部を設けても良い。
【００６１】
また、図９Ａ乃至図９Ｃに示すように、この補強部３５は、開封前の袋体３０ｂのミシン目Ｐ３１を跨いで設けられていても良いし、或いは、ミシン目Ｐ３１よりも上側の部分には設けられずに、下側の部分、つまり袋体下側部分３０ｂｄにのみ設けられていても良い。なお、前者のミシン目Ｐ３１を跨いで設けられる場合には（図９Ａ乃至図９Ｃ）、袋体３０ｂの開封性を阻害しないように、補強部３５にも袋体幅方向の全長に亘ってミシン目Ｐ３５が形成されていると良い。
【００６２】
なお、望ましくは、図１０Ａに示す補強部３５の袋体幅方向の長さ寸法Ｄ３５ａを、袋体３０ｂから外方にはみ出さない範囲で１０ｍｍ以上に設定すると良く、また、袋体長手方向の長さ寸法Ｄ３５ｂを１０〜２０ｍｍに設定すると良い。そして、このように設定されていれば、同補強部３５により開口部３０ｂｈの曲げ剛性は確実に向上されて、その結果、片手操作で開口部３０ｂｈを確実に開くことができるようになる。
【００６３】
図１１Ａ乃至図１１Ｃは、第２実施形態の第１変形例の袋体３０ｂの説明図である。なお、図１１Ａは、開封後の袋体３０ｂの概略側面図であり、図１１Ｂ及び図１１Ｃは、それぞれ、図１１Ａ中のＢ−Ｂ矢視図及びＣ―Ｃ矢視図である。  
同図１１Ａに示すように、この第１変形例では、補強部３５は、面部３１における袋体幅方向の端部３１ｅｓの溶着部（図１１Ａ中、ドット模様を付して示された部分）に連続して設けられている。そして、このようにされていれば、同溶着部は高い曲げ剛性を有することから、当該溶着部の高い曲げ剛性も、上記スライド力の付与の際に補強部３５に基づいて生じる上記の抗力に有効に加担する。よって、上記のスライド力の付与の際に、開口部３０ｂｈはより開き易くなる。
【００６４】
なお、ここで望ましくは、図１２（図１１Ａ中のＣ−Ｃ矢視図に相当する図）に示すように、袋体幅方向の端部３１ｅｓの溶着部を跨いだ状態に補強部３５が設けられていると良い。そして、このようになっていれば、当該溶着部の高い曲げ剛性の影響が、より確実に補強部３５に及ぶため、同曲げ剛性が上記の抗力により加担し易くなる。
【００６５】
図１３Ａ乃至図１３Ｃは、第２実施形態の第２変形例の袋体３０ｂの説明図である。なお、図１３Ａは、開封後の袋体３０ｂの概略側面図であり、図１３Ｂ及び図１３Ｃは、それぞれ、図１３Ａ中のＢ−Ｂ矢視図及びＣ―Ｃ矢視図である。  
同図１３Ａに示すように、この第２変形例では、補強部３５は、開口部３０ｂｈの全周に亘って設けられている。すなわち、補強部３５は、少なくとも開口部３０ｂｈのうちで上記の端部３１ｅｓ，３１ｅｓの溶接部以外の部分の全部に亘って設けられている。そして、このようにされていれば、上記スライド力の付与の際に補強部３５に基づいて生じる上記の抗力をより大きくすることができて、結果、開口部３０ｂｈはより開き易くなる。
【００６６】
なお、上述の第２実施形態、及びその変形例では、補強部３５としてシート状部材３５を例示したが、何等これに限らない。例えば、開口部３０ｂｈのうちで補強すべき部分に、熱可塑性樹脂等の材料、すなわち所定条件で流動状態となり時間経過とともに固化するような材料を流動下で塗布し、固化後の当該材料を補強部としても良い。
【００６７】
また、上述の第２実施形態及びその変形例では、未開封状態における袋体３０ｂの一対の面部３１，３１同士を、袋体長手方向の上端部３１ｅｕ及び下端部３１ｅｄ、並びに袋体幅方向の各端部３１ｅｓ，３１ｅｓの全てにおいて溶着部で繋いでいたが、何等これに限らない。すなわち、これら四つの端部３１ｅｕ，３１ｅｄ，３１ｅｓ，３１ｅｓのうちの一つ以上の端部において一対の面部３１，３１同士を折り線で繋いでも良い。例えば、図１４Ａの概略側面図に示すように、袋体幅方向の各端部３１ｅｓ，３１ｅｓのうちの一方の端部３１ｅｓ、袋体長手方向の上端部３１ｅｕ、及び下端部３１ｅｄでは、それぞれ溶着部で一対の面部同士を繋ぐが、袋体幅方向のもう一方の端部では折り線で一対の面部３１，３１同士を繋いでも良い。また、場合によっては、図１４Ｂの概略側面図に示すように、袋体幅方向の各端部３１ｅｓ，３１ｅｓでは、それぞれ溶着部で一対の面部３１，３１同士を繋ぐが、袋体長手方向の上端部３１ｅｕ及び下端部３１ｅｄでは折り線で一対の面部３１，３１同士を繋いでも良い。
【００６８】
＝＝＝その他の実施の形態＝＝＝
以上、本発明の実施形態について説明したが、本発明は、かかる実施形態に限定されるものではなく、以下に示すような変形が可能である。
【００６９】
上述の実施形態では、動物の孔部の一例として人体の膣腔を示したが、何等これに限らない。例えば、上記孔部が人体の肛門でも良く、すなわち、このアプリケータ付きタンポン２０を痔の治療に用いても良い。また、動物の概念も何等人間に限らず、犬や猫などの動物に対して当該タンポン２０を用いても良い。
【００７０】
上述の実施形態では、袋体３０，３０ｂの外形形状が、縦長形状の一例として平面視略長方形である場合を例示したが、何等これに限らない。例えば長円形でも良い。
【００７１】
上述の実施形態では、各端部３１ｅｕ，３１ｅｄ，３１ｅｓ，３１ｅｓの接合部の一例として、熱溶着により接合形成された溶着部を例示したが、何等これに限らない。例えば、ホットメルト接着剤等の接着剤により接合形成される接着部でも良いし、エンボス加工等の圧着により接合形成される圧着部でも良い。
【００７２】
上述の第１実施形態では、開封用のミシン目（不図示）が、図３Ａ及び図３Ｂの谷折り線ＬＶに形成されていたが、何等谷折り線ＬＶに限らない。例えば、同図３Ｂ及び図３Ｃに示すように、袋体３０の上端部３０ｅｕのうちで一方の山折り線ＬＭと谷折り線ＬＶとを繋ぐ部分３１ｅｕｐ、及びもう一方の山折り線ＬＭと谷折り線ＬＶとを繋ぐ部分３１ｅｕｐの両者に跨って不図示のミシン目が略Ｖ字状や略Ｗ次状などの所定形状で形成されていても良い。
【符号の説明】
【００７３】
１０  個別包装体、１０ｂ  個別包装体、
２０  アプリケータ付きタンポン、
２１  タンポン、２１ａ  吸収体、２１ｃ  紐部材、
２５  アプリケータ（挿入補助具）、
２６  外筒、２６ｅ１  先端側部分、２６ｅ２  尾端側部分、
２７  内筒、２７ｅ１  先端側部分、２７ｅ２  部分、
３０  袋体、３０ｅｕ  上端部（袋体の他端部）、
３０ｈ  開口部、３０ｓ  シート状部材、
３０ｂ  袋体、３０ｂｕ  部分、３０ｂｄ  袋体下側部分、
３０ｂｈ  開口部、３０ｂｓ  シート状部材、
３１  面部、
３１ｂｄ  折り返された部分（補強部）、
３１ｎｂｄ  折り返されていない部分、
３１ｅｕ  上端部（他端部）、３１ｅｄ  下端部（一端部）、３１ｅｓ  端部、
３１ｅｕｐ  部分、
３１ｅｅ１  上端側の縁部（他端側の縁部）、
３１ｅｅ３  上端側の縁部（他端側の縁部）、
３５  シート状部材（補強部）、
ＬＭ  山折り線、ＬＶ  谷折り線、
ＳＬ  スリット、Ｐ３１  ミシン目、Ｐ３５  ミシン目、
ＳＰ３０  内部空間、Ｓ  目印、
【図１】
2014223148.tif 000003
【図２】
2014223148.tif 000004
【図３】
2014223148.tif 000005
【図４】
2014223148.tif 000006
【図５】
2014223148.tif 000007
【図６】
2014223148.tif 000008
【図７】
2014223148.tif 000009
【図８】
2014223148.tif 000010
【図９】
2014223148.tif 000011
【図１０】
2014223148.tif 000012
【図１１】
2014223148.tif 000013
【図１２】
2014223148.tif 000014
【図１３】
2014223148.tif 000015
【図１４】
2014223148.tif 000016